(57)【要約】      （修正有）【課題】収納位置における移動体と外筐の隙間の発生を防止する。【解決手段】外筐の内部に配置されたベース体と、収納位置と飛出位置との間でベース体に対して第１の移動方向へ移動可能とされ被ロック部を有する移動体６と、移動体を収納位置から飛出位置へ向けて付勢する付勢バネと、ベース体にロック可能位置とロック解除位置の間で第２の移動方向へ移動可能とされた移動ベース２１と、移動ベースにロック位置と非ロック位置の間で回動自在に支持され移動ベースがロック可能位置に移動された状態において収納位置において移動体をロックするロックレバー２６と、移動ベースを第２の移動方向へ動作させる駆動体３０とを備え、移動ベースがロック解除位置へ移動されてロック部と被ロック部の係合が解除され移動体が付勢バネの付勢力によって収納位置から飛出位置に移動され、第１の移動方向と第２の移動方向と略直交する方向とした。【選択図】図５
2011013641.tif 000002
【特許請求の範囲】
【請求項１】
撮像装置の外筐の内部に配置されたベース体と、
前記外筐に形成された収納凹部に収納される収納位置と前記外筐の外部に突出される飛出位置との間で前記ベース体に対して第１の移動方向へ移動可能とされると共に被ロック部を有する移動体と、
前記移動体を前記収納位置から前記飛出位置へ向けて付勢する付勢バネと、
前記ベース体にロック可能位置とロック解除位置の間で第２の移動方向へ移動可能とされた移動ベースと、
前記移動ベースにロック位置と非ロック位置の間で回動自在に支持され前記移動ベースと一体になって前記第２の移動方向へ移動すると共に前記移動ベースが前記ロック可能位置に移動された状態において前記収納位置に移動された前記移動体の被ロック部に前記ロック位置において係合し前記移動体をロックするロックレバーと、
前記移動ベースに連結され前記移動ベースを前記第２の移動方向へ動作させる駆動源となる駆動体とを備え、
前記移動ベースが前記ロック可能位置から前記ロック解除位置へ移動されて前記ロック部と前記被ロック部の係合が解除され前記移動体が前記付勢バネの付勢力によって前記収納位置から前記飛出位置に移動され、
前記移動体の前記第１の移動方向と前記移動ベースの前記第２の移動方向とが略直交する方向とされた
移動体の移動機構。
【請求項２】
前記ベース体に前記移動ベースを回動自在に支持し、
前記移動ベースの前記第２の移動方向を回動方向とした
請求項１に記載の移動体の移動機構。
【請求項３】
前記移動ベースにカム摺動部を設け、
前記移動体に、前記収納位置から前記飛出位置へ向けて移動されるときに前記カム摺動部と摺動され前記移動ベースを前記ロック解除位置から前記ロック可能位置に移動させるカム部を設けた
請求項１に記載の移動体の移動機構。
【請求項４】
前記移動ベースのカム摺動部に前記カム部に離接する方向へ弾性変形可能な弾性変形部を設け、
前記カム摺動部の弾性変形部は、前記移動体が前記収納位置から前記飛出位置へ向けて移動されるときに、前記移動ベースに前記ロック解除位置から前記ロック可能位置へ移動される方向への付勢力が付与される方向へ弾性変形されるようにした
請求項３に記載の移動体の移動機構。
【請求項５】
前記移動ベースが前記ロック可能位置に移動されたときに、前記カム摺動部が前記カム部から離隔するようにした
請求項３に記載の移動体の移動機構。
【請求項６】
前記移動ベースを前記ロック可能位置から前記ロック解除位置へ向けて付勢すると共に前記ロックレバーを前記非ロック位置から前記ロック位置へ向けて付勢するバネ部材を設けた
請求項１に記載の移動体の移動機構。
【請求項７】
収納凹部が形成された外筐と、
前記外筐の内部に配置されたベース体と、
前記外筐の収納凹部に収納される収納位置と前記外筐の外部に突出される飛出位置との間で前記ベース体に対して第１の移動方向へ移動可能とされると共に被ロック部を有する移動体と、
前記移動体を前記収納位置から前記飛出位置へ向けて付勢する付勢バネと、
前記ベース体にロック可能位置とロック解除位置の間で第２の移動方向へ移動可能とされた移動ベースと、
前記移動ベースにロック位置と非ロック位置の間で回動自在に支持され前記移動ベースと一体になって前記第２の移動方向へ移動すると共に前記移動ベースが前記ロック可能位置に移動された状態において前記収納位置に移動された前記移動体の被ロック部に前記ロック位置において係合し前記移動体をロックするロックレバーと、
前記移動ベースに連結され前記移動ベースを前記第２の移動方向へ動作させる駆動源となる駆動体とを備え、
前記移動ベースが前記ロック可能位置から前記ロック解除位置へ移動されて前記ロック部と前記被ロック部の係合が解除され前記移動体が前記付勢バネの付勢力によって前記収納位置から前記飛出位置に移動され、
前記移動体の前記第１の移動方向と前記移動ベースの前記第２の移動方向とが略直交する方向とされた
撮像装置。
【発明の詳細な説明】
【技術分野】
【０００１】
本発明は移動体の移動機構及び撮像装置についての技術分野に関する。詳しくは、移動体の移動方向とロックレバーを支持する移動ベースの移動方向とを略直交する方向とし、外筐の内部に収納された収納位置における移動体と外筐の隙間の発生を防止する技術分野に関する。
【背景技術】
【０００２】
ビデオカメラやスチルカメラ等の各種の撮像装置には、外筐に形成された収納凹部に収納される収納位置と外筐の外部に突出される飛出位置との間で移動可能とされている移動体、例えば、フラッシュを有する発光ブロックが設けられているものがある（例えば、特許文献１参照）。
【０００３】
特許文献１に記載された撮像装置にあっては、移動体が外筐に回動自在に支持され、収納位置から飛出位置へ付勢バネ（コイルバネ）によって付勢されている。移動体には被ロック部（係合部）が設けられている。外筐の内部には移動体の外筐に対する回動方向と同じ方向へ回動されるロックレバーが設けられ、該ロックレバーはプランジャーの駆動力によって回動可能とされている。ロックレバーは捩じりコイルバネによって移動体をロックする方向へ付勢されている。
【０００４】
このような撮像装置において、飛出位置から収納位置へ向けて移動体が押し下げられると、移動体の被ロック部がロックレバーに係合されて収納位置にロックされる。
【０００５】
また、収納位置において、プランジャーの駆動力によってロックレバーが回動されると、移動体の被ロック部に対するロックレバーの係合が解除され、移動体が付勢バネの付勢力によって収納位置から飛出位置に移動される。
【０００６】
【特許文献１】特開２００３−２９５２８６号公報
【発明の開示】
【発明が解決しようとする課題】
【０００７】
ところが、特許文献１に記載された撮像装置にあっては、移動体の回動方向（移動方向）とロックレバーの移動体に対するロックの解除方向が同じ方向とされているため、移動体の収納位置における位置精度がロックレバーを回動させるプランジャーの寸法精度に依存してしまう。
【０００８】
従って、プランジャーの寸法精度が低い場合には、収納位置において移動体と外筐に形成された収納凹部の開口縁との間に隙間が生じ、移動体の外筐に対するガタツキが生じてしまう。
【０００９】
また、収納位置における移動体と収納凹部の開口縁との間の隙間を小さくするために、プランジャーの高い寸法精度が必要となり、その分、製造コストが高騰してしまう。
【００１０】
そこで、本発明移動体の移動機構及び撮像装置は、上記した問題点を克服し、収納位置における移動体と外筐の隙間の発生を防止することを課題とする。
【課題を解決するための手段】
【００１１】
移動体の移動機構は、上記した課題を解決するために、撮像装置の外筐の内部に配置されたベース体と、前記外筐に形成された収納凹部に収納される収納位置と前記外筐の外部に突出される飛出位置との間で前記ベース体に対して第１の移動方向へ移動可能とされると共に被ロック部を有する移動体と、前記移動体を前記収納位置から前記飛出位置へ向けて付勢する付勢バネと、前記ベース体にロック可能位置とロック解除位置の間で第２の移動方向へ移動可能とされた移動ベースと、前記移動ベースにロック位置と非ロック位置の間で回動自在に支持され前記移動ベースと一体になって前記第２の移動方向へ移動すると共に前記移動ベースが前記ロック可能位置に移動された状態において前記収納位置に移動された前記移動体の被ロック部に前記ロック位置において係合し前記移動体をロックするロックレバーと、前記移動ベースに連結され前記移動ベースを前記第２の移動方向へ動作させる駆動源となる駆動体とを備え、前記移動ベースが前記ロック可能位置から前記ロック解除位置へ移動されて前記ロック部と前記被ロック部の係合が解除され前記移動体が前記付勢バネの付勢力によって前記収納位置から前記飛出位置に移動され、前記移動体の前記第１の移動方向と前記移動ベースの前記第２の移動方向とが略直交する方向とされたものである。
【００１２】
従って、移動体の移動機構にあっては、ロック可能位置とロック解除位置の間で移動される移動ベースを動作させる駆動体の寸法精度が、移動体の外筐に対する位置精度に影響しない。
【００１３】
上記した移動体の移動機構においては、前記ベース体に前記移動ベースを回動自在に支持し、前記移動ベースの前記第２の移動方向を回動方向とすることが望ましい。
【００１４】
移動ベースの第２の移動方向を回動方向とすることにより、移動ベースの移動範囲として必要なスペースが小さくなる。
【００１５】
上記した移動体の移動機構においては、前記移動ベースにカム摺動部を設け、前記移動体に、前記収納位置から前記飛出位置へ向けて移動されるときに前記カム摺動部と摺動され前記移動ベースを前記ロック解除位置から前記ロック可能位置に移動させるカム部を設けることが望ましい。
【００１６】
カム摺動部と摺動され移動ベースをロック解除位置からロック可能位置に移動させるカム部を設けることにより、移動体が飛出位置に移動されたときに移動ベースがロック可能位置に移動される。
【００１７】
上記した移動体の移動機構においては、前記移動ベースのカム摺動部に前記カム部に離接する方向へ弾性変形可能な弾性変形部を設け、前記カム摺動部の弾性変形部は、前記移動体が前記収納位置から前記飛出位置へ向けて移動されるときに、前記移動ベースに前記ロック解除位置から前記ロック可能位置へ移動される方向への付勢力が付与される方向へ弾性変形されるようにすることが望ましい。  カム摺動部の弾性変形部が、上記のように弾性変形されるようにすることにより、移動ベースがロック解除位置からロック可能位置へ移動されるときに弾性変形部によってロック可能位置へ向けての付勢力が付与される。
【００１８】
上記した移動体の移動機構においては、前記移動ベースが前記ロック可能位置に移動されたときに、前記カム摺動部が前記カム部から離隔することが望ましい。
【００１９】
移動ベースがロック可能位置に移動されたときに、カム摺動部がカム部から離隔するようにすることにより、移動体の飛出位置から収納位置へ向けての回動動作において、移動体に移動ベースから不必要な負荷が付与されない。
【００２０】
上記した移動体の移動機構においては、前記移動ベースを前記ロック可能位置から前記ロック解除位置へ向けて付勢すると共に前記ロックレバーを前記非ロック位置から前記ロック位置へ向けて付勢するバネ部材を設けることが望ましい。
【００２１】
移動ベース及びロックレバーを上記した所定の方向へ付勢するバネ部材を設けることにより、移動ベースとロックレバーを各別に所定の方向へ付勢する二つのバネ部材が不要となる。
【００２２】
撮像装置は、上記した課題を解決するために、収納凹部が形成された外筐と、前記外筐の内部に配置されたベース体と、前記外筐の収納凹部に収納される収納位置と前記外筐の外部に突出される飛出位置との間で前記ベース体に対して第１の移動方向へ移動可能とされると共に被ロック部を有する移動体と、前記移動体を前記収納位置から前記飛出位置へ向けて付勢する付勢バネと、前記ベース体にロック可能位置とロック解除位置の間で第２の移動方向へ移動可能とされた移動ベースと、前記移動ベースにロック位置と非ロック位置の間で回動自在に支持され前記移動ベースと一体になって前記第２の移動方向へ移動すると共に前記移動ベースが前記ロック可能位置に移動された状態において前記収納位置に移動された前記移動体の被ロック部に前記ロック位置において係合し前記移動体をロックするロックレバーと、前記移動ベースに連結され前記移動ベースを前記第２の移動方向へ動作させる駆動源となる駆動体とを備え、前記移動ベースが前記ロック可能位置から前記ロック解除位置へ移動されて前記ロック部と前記被ロック部の係合が解除され前記移動体が前記付勢バネの付勢力によって前記収納位置から前記飛出位置に移動され、前記移動体の前記第１の移動方向と前記移動ベースの前記第２の移動方向とが略直交する方向とされたものである。
【００２３】
従って、撮像装置にあっては、ロック可能位置とロック解除位置の間で移動される移動ベースを動作させる駆動体の寸法精度が、移動体の外筐に対する位置精度に影響しない。
【発明の効果】
【００２４】
本発明移動体の移動機構は、撮像装置の外筐の内部に配置されたベース体と、前記外筐に形成された収納凹部に収納される収納位置と前記外筐の外部に突出される飛出位置との間で前記ベース体に対して第１の移動方向へ移動可能とされると共に被ロック部を有する移動体と、前記移動体を前記収納位置から前記飛出位置へ向けて付勢する付勢バネと、前記ベース体にロック可能位置とロック解除位置の間で第２の移動方向へ移動可能とされた移動ベースと、前記移動ベースにロック位置と非ロック位置の間で回動自在に支持され前記移動ベースと一体になって前記第２の移動方向へ移動すると共に前記移動ベースが前記ロック可能位置に移動された状態において前記収納位置に移動された前記移動体の被ロック部に前記ロック位置において係合し前記移動体をロックするロックレバーと、前記移動ベースに連結され前記移動ベースを前記第２の移動方向へ動作させる駆動源となる駆動体とを備え、前記移動ベースが前記ロック可能位置から前記ロック解除位置へ移動されて前記ロック部と前記被ロック部の係合が解除され前記移動体が前記付勢バネの付勢力によって前記収納位置から前記飛出位置に移動され、前記移動体の前記第１の移動方向と前記移動ベースの前記第２の移動方向とが略直交する方向とされた。
【００２５】
従って、移動体の収納位置における外筐に対する位置精度が移動ベースを移動させる駆動体の寸法精度に依存せず、移動体の第１の移動方向における移動ストロークに収納位置側のオーバーストロークを設定することが可能になる。これにより、収納位置において移動体と収納凹部の開口縁との間に隙間が生じず、移動体の外筐に対するガタツキの発生を防止することができる。
【００２６】
また、収納位置における移動体と収納凹部の開口縁との間の隙間を小さくするために、駆動体等の部品の高い寸法精度が必要なく、その分、製造コストの低減を図ることができる。
【００２７】
請求項２に記載した発明にあっては、前記ベース体に前記移動ベースを回動自在に支持し、前記移動ベースの前記第２の移動方向を回動方向としたので、移動ベースの移動範囲として必要なスペースを小さくすることができ、小型化を図ることができる。
【００２８】
請求項３に記載した発明にあっては、前記移動ベースにカム摺動部を設け、前記移動体に、前記収納位置から前記飛出位置へ向けて移動されるときに前記カム摺動部と摺動され前記移動ベースを前記ロック解除位置から前記ロック可能位置に移動させるカム部を設けている。
【００２９】
従って、移動体が飛出位置に移動された状態において移動ベースをロック解除位置からロック可能位置まで回動させる動作を行う必要がなく、移動体の飛出位置から収納位置への回動動作を迅速に行うことができる。
【００３０】
請求項４に記載した発明にあっては、前記移動ベースのカム摺動部に前記カム部に離接する方向へ弾性変形可能な弾性変形部を設け、前記カム摺動部の弾性変形部は、前記移動体が前記収納位置から前記飛出位置へ向けて移動されるときに、前記移動ベースに前記ロック解除位置から前記ロック可能位置へ移動される方向への付勢力が付与される方向へ弾性変形されるようにしている。
【００３１】
従って、移動ベースを確実にロック可能位置まで回動させることができる。
【００３２】
請求項５に記載した発明にあっては、前記移動ベースが前記ロック可能位置に移動されたときに、前記カム摺動部が前記カム部から離隔するようにしている。
【００３３】
従って、移動体の飛出位置から収納位置へ向けての回動動作において、移動体に移動ベースから不必要な負荷が付与されることがなく、移動体の飛出位置から収納位置へ向けての回動動作を円滑に行うことができる。
【００３４】
請求項６に記載した発明にあっては、前記移動ベースを前記ロック可能位置から前記ロック解除位置へ向けて付勢すると共に前記ロックレバーを前記非ロック位置から前記ロック位置へ向けて付勢するバネ部材を設けている。
【００３５】
従って、移動ベースとロックレバーを各別に所定の方向へ付勢する二つのバネ部材を用いる必要がなく、部品点数の削減及び省スペース化による小型化を図ることができる。
【００３６】
本発明撮像装置は、収納凹部が形成された外筐と、前記外筐の内部に配置されたベース体と、前記外筐の収納凹部に収納される収納位置と前記外筐の外部に突出される飛出位置との間で前記ベース体に対して第１の移動方向へ移動可能とされると共に被ロック部を有する移動体と、前記移動体を前記収納位置から前記飛出位置へ向けて付勢する付勢バネと、前記ベース体にロック可能位置とロック解除位置の間で第２の移動方向へ移動可能とされた移動ベースと、前記移動ベースにロック位置と非ロック位置の間で回動自在に支持され前記移動ベースと一体になって前記第２の移動方向へ移動すると共に前記移動ベースが前記ロック可能位置に移動された状態において前記収納位置に移動された前記移動体の被ロック部に前記ロック位置において係合し前記移動体をロックするロックレバーと、前記移動ベースに連結され前記移動ベースを前記第２の移動方向へ動作させる駆動源となる駆動体とを備え、前記移動ベースが前記ロック可能位置から前記ロック解除位置へ移動されて前記ロック部と前記被ロック部の係合が解除され前記移動体が前記付勢バネの付勢力によって前記収納位置から前記飛出位置に移動され、前記移動体の前記第１の移動方向と前記移動ベースの前記第２の移動方向とが略直交する方向とされた。
【００３７】
従って、移動体の収納位置における外筐に対する位置精度が移動ベースを移動させる駆動体の寸法精度に依存せず、移動体の第１の移動方向における移動ストロークに収納位置側のオーバーストロークを設定することが可能になる。これにより、収納位置において移動体と収納凹部の開口縁との間に隙間が生じず、移動体の外筐に対するガタツキの発生を防止することができる。
【００３８】
また、収納位置における移動体と収納凹部の開口縁との間の隙間を小さくするために、駆動体等の部品の高い寸法精度が必要なく、その分、撮像装置の製造コストの低減を図ることができる。
【発明を実施するための最良の形態】
【００３９】
以下に、本発明の実施の形態を添付図面に従って説明する。
【００４０】
以下に示した実施の形態は、本発明撮像装置をデジタルスチルカメラに適用したものであり、本発明移動体の移動機構をこのデジタルスチルカメラに備えられた移動体の移動機構に適用したものである。
【００４１】
尚、本発明の適用範囲はデジタルスチルカメラ及びデジタルスチルカメラに備えられた移動体の移動機構に限られることはない。本発明は、例えば、ビデオカメラや銀塩カメラ等の他の撮像装置、携帯電話に付属された撮像装置、パーソナルコンピューター等の情報処理装置や通信端末装置やゲーム機器に付属された各種の撮像装置及びこれらの各種の撮像装置に備えられた移動体の移動機構に広く適用することができる。
【００４２】
以下の説明にあっては、スチルカメラの撮影時において撮影者（使用者）から見た方向で前後上下左右の方向を示すものとする。従って、被写体側を前方とし、撮影者側を後方とする。
【００４３】
尚、以下に示す前後上下左右の方向は説明の便宜上のものであり、本発明の実施に関しては、これらの方向に限定されることはない。
【００４４】
［全体構成］
撮像装置（デジタルスチルカメラ）１は、装置本体２と該装置本体２の前面に設けられたレンズ鏡筒部３とから成る（図１及び図２参照）。レンズ鏡筒部３は装置本体２に対して交換可能な交換レンズ又は装置本体２に一体に設けられた一体型のレンズ鏡筒である。
【００４５】
装置本体２は外筐４の内外に所要の各部が配置されて成り、上面に撮影用釦やズーム摘子等の各種の操作部５、５、・・・が配置されている。装置本体２の後面には図示しない各種の操作部や図示しない表示パネル等が配置されている。
【００４６】
装置本体２の左右方向における中央部の上部には上方に開口された収納凹部２ａが形成されている（図２参照）。収納凹部２には移動体６が収納される。移動体６には、例えば、フラッシュを有する後述する発光ユニットが設けられている。移動体６は外筐４に対して回動可能とされ、収納凹部２ａに収納される収納位置（図１参照）と収納凹部２ａから外部へ突出される飛出位置（図２参照）との間で回動される。
【００４７】
レンズ鏡筒部３の前端部には撮像レンズ７が配置されている。
【００４８】
［移動機構の構成］
装置本体２には移動機構８が配置されている（図３乃至図６参照）。移動機構８は移動体６とベース体９とを備えている。
【００４９】
移動体６はフラッシュケース１０と発光ユニット１１とトップカバー１２を有している。
【００５０】
フラッシュケース１０はケース部１３と該ケース部１３の後端部から後方へ突出された突状部１４とが一体に形成されて成る（図３参照）。
【００５１】
ケース部１３は横長の三角柱状に形成され、内部に配置用凹部１３ａを有している。ケース部１３の前方側を向く面には矩形の配置孔１３ｂが形成され、配置用凹部１３ａと配置孔１３ｂが連通されている。ケース部１３の下方側を向く面には下方へ突出された被ロック部１３ｃが設けられている。被ロック部１３ｃは、例えば、横長の円柱状に形成されている。
【００５２】
突状部１４は略上下方向を向く略板状に形成され、後端部に左右に離隔して設けられた横長の軸支持部１４ａ、１４ａを有している。突状部１４の下面における右端部には下方へ突出されたカム部１５が設けられている（図３乃至図５参照）。カム部１５には、図４及び図５に示すように、後方へ行くに従って左方へ変位するように傾斜された第１のカム面１５ａと後方へ行くに従って右方へ変位するように傾斜された第２のカム面１５ｂとが形成されている。第１のカム面１５ａと第２のカム面１５ｂは前後方向において連続して形成され、第１のカム面１５ａが第２のカム面１５ｂより前後方向に長く形成されている。
【００５３】
発光ユニット１１は発光部１１ａと該発光部１１ａに接続されたコード１１ｂとを有している。発光ユニット１１は発光部１１ａがフラッシュケース１０のケース部１３に形成された配置用凹部１３ａに挿入されて配置され、前端部が配置孔１３ｂに配置される。発光ユニット１１はコード１１ｂが外筐４の内部に配置された図示しない駆動回路に接続される。
【００５４】
トップカバー１２は略上下方向を向く略板状に形成され、発光ユニット１１がフラッシュケース１０に配置された状態においてフラッシュケース１０に取り付けられる。発光ユニット１１がフラッシュケース１０に配置された状態においてトップカバー１２がフラッシュケース１０の突状部１４に取り付けられることにより移動体６が構成される。
【００５５】
フラッシュケース１０の突状部１４に設けられた軸支持部１４ａ、１４ａには支持軸１６が挿入され（図３参照）、該支持軸１６の軸方向における両端部がそれぞれ外筐４に設けられた図示しない軸受部に支持される。従って、移動体６は支持軸１６を介して外筐４に回動自在に支持される。
【００５６】
移動体６は、上記したように、収納凹部２ａに収納される収納位置（図１参照）と収納凹部２ａから外部へ突出される飛出位置（図２参照）との間で回動される。移動体６は略上下方向へ移動するように垂直面内において回動され、移動体６の回動方向は第１の移動方向とされる。
【００５７】
支持軸１６には、例えば、捩じりコイルバネである付勢バネ１７が支持される（図３参照）。付勢バネ１７はコイル部１７ａが支持軸１６に支持され、一端部１７ｂが外筐４に設けられた図示しないバネ支持部に連結され、他端部１７ｃがフラッシュケース１０の突状部１４に設けられた図示しないバネ支持部に連結される。従って、移動体６は付勢バネ１７の付勢力によって収納位置から飛出位置へ向けて付勢される。
【００５８】
ベース体９は、図３に示すように、上下方向を向くベース面部１８と該ベース面部１８の左右両側縁からそれぞれ下方へ突出された側面部１９、１９とベース面部１８の前縁から前斜め下方へ突出された前面部２０とを有している。
【００５９】
ベース面部１８の下面には、略中央部に下方へ突出された支持軸１８ａが設けられ、該支持軸１８ａの左右両側にそれぞれ下方へ突出されたストッパー突部１８ｂとバネ支持突部１８ｃが設けられている（図４及び図５参照）。ベース面部１８の下面における左端部には、下方へ突出された取付軸１８ｄ、１８ｄが設けられている。
【００６０】
前面部２０の左右方向における中央部には挿入孔２０ａが形成されている（図３及び図６参照）。
【００６１】
ベース面部１８の支持軸１８ａには移動ベース２１が回動自在に支持されている（図４及び図６参照）。移動ベース２１は支持軸１８ａを支点として水平面内において回動され、移動ベース２１の回動方向が第２の移動方向とされる。移動ベース２１は回動方向における一方の移動端であるロック可能位置と他方の移動端であるロック解除位置との間で回動され、ベース体９に設けられたストッパー突部１８ｃに接して回動動作を規制される位置がロック解除位置とされる。
【００６２】
移動ベース２１は、図３乃至図５に示すように、支持軸１８ａに支持される円筒状の被支持軸部２２と、該被支持軸部２２の前側に設けられたレバー支持部２３と、被支持軸部２２の後面における上端部から後方へ突出された連結突部２４と、被支持軸部２２から右方へ突出されたカム摺動部２５とを有している。
【００６３】
レバー支持部２３には左右に離隔して位置する支持面部２３ａ、２３ａが設けられている。一方の支持面部２３ａの前端部には上方へ突出された規制突部２３ｂが設けられている。支持面部２３ａ、２３ａの下端寄りの位置にはそれぞれ左右に貫通された支持孔２３ｃ、２３ｃが形成されている。
【００６４】
連結突部２４の後端部には下方へ突出された連結軸２４ａが設けられている。
【００６５】
カム摺動部２５は被支持軸部２２から右方へ突出された基部２５ａと該基部２５ａの右端部から後方へ突出された弾性変形部２５ｂとを有し、該弾性変形部２５ｂの後端部に略半球状の摺動突部２５ｃが設けられている。カム摺動部２５は弾性変形部２５ｂが基部２５ａに対して連結突部２４に離接する方向へ弾性変形可能とされている。
【００６６】
移動ベース２１のレバー支持部２３にはロックレバー２６が回動自在に支持される。ロックレバー２６は略上下に延びる被支持部２７と該被支持部２７の上端から前方側へ屈曲されるように形成された係合突部２８とが一体に形成されて成る。被支持部２７には、上端部に右方へ突出されたバネ支持軸部２７ａが設けられ、下端寄りの位置にそれぞれ左右に突出された被支持ピン２７ｂ、２７ｂが設けられている。係合突部２８の先端部における上側の面は前方へ行くに従って下方へ変位するように傾斜された傾斜面２８ａとして形成されている。
【００６７】
ロックレバー２６は被支持部２７の被支持ピン２７ｂ、２７ｂがそれぞれレバー支持部２３の支持孔２３ｃ、２３ｃに内側から挿入され、移動ベース２１に回動自在に支持される（図４乃至図６参照）。ロックレバー２６が移動ベース２１に支持された状態においては、係合突部２８の前端部がレバー支持部２３より前側に位置され、バネ支持軸部２７ａの先端部が右側のレバー支持部２３より右側に位置される。
【００６８】
ロックレバー２６はバネ支持軸部２７ａがレバー支持部２３の規制突部２３ｂに係合することにより係合突部２８が略前方へ移動される方向への回動動作が規制され、規制突部２３ｂによって規制された回動位置がロック位置とされる。ロックレバー２６はロック位置と係合突部２８がロック位置より後方に位置する非ロック位置との間で回動される。
【００６９】
上記のように移動ベース２１がベース体９の支持軸１８ａに支持された状態において、ベース体９とロックレバー２６の間にバネ部材２９が支持される。バネ部材２９は、例えば、捩じりコイルバネであり、一端部２９ａがベース体９のバネ支持突部１８ｂに支持され、他端部２９ｂがロックレバー２６のバネ支持軸部２７ａに支持され、コイル部２９ｃの一端が移動ベース２１の一方の支持面部２３ａの外面に接触される。
【００７０】
従って、バネ部材２９の付勢力によって移動ベース２１がロック可能位置からロック解除位置へ向けて付勢されと共にロックレバー２６が非ロック位置からロック位置へ向けて付勢される。
【００７１】
このようにバネ部材２９が移動ベース２１及びロックレバー２６をそれぞれ所定の方向へ付勢する機能を有するため、移動ベース２１とロックレバー２６を各別に所定の方向へ付勢する二つのバネ部材を用いる必要がなく、部品点数の削減及び省スペース化による撮像装置１の小型化を図ることができる。
【００７２】
ベース体９の取付軸１８ｄ、１８ｄにはプランジャー３０が取り付けられる。プランジャー３０は移動ベース２１を回動動作させる駆動源となる駆動体として機能し、本体３１と該本体３１に対して左右方向へ移動される駆動部３２とから成る。駆動部３２には連結孔３２ａが形成されている。
【００７３】
プランジャー３０は本体３１の一端部が取付軸１８ｄ、１８ｄに取り付けられている（図４及び図５参照）。プランジャー３０は本体３１の内部に配置された図示しない永久磁石やコイルを有し、非通電時には永久磁石によって駆動部３２が吸着され、通電されることにより永久磁石による駆動部３２の吸着状態が解除される所謂自己保持型のプランジャーである。
【００７４】
プランジャー３０は、駆動部３２の連結孔３２ａに連結突部２４に設けられた連結軸２４ａが挿入されることにより移動ベース２１に連結される。
【００７５】
プランジャー３０の非通電時には、永久磁石によって駆動部３２が吸着されており、移動ベース２１はバネ部材２９の付勢力に抗してロック可能位置に保持される（図５参照）。プランジャー３０の通電時には、永久磁石による駆動部３２の吸着状態が解除されるため駆動部３２が本体部３１から大きく突出され、移動ベース２１はバネ部材２９の付勢力によって回動されレバー支持部２３がストッパー突部１８ｃに押し付けられてロック解除位置に保持される。
【００７６】
［移動機構の動作］
以下に、移動機構８の動作について説明する（図７乃至図２０参照）。
【００７７】
先ず、移動体６が収納位置にロックされている状態について説明する（図７及び図８参照）。
【００７８】
移動体６が収納位置にあるときには、プランジャー３０には通電が行われておらず、永久磁石によって駆動部３２が吸着され、移動ベース２１がロック可能位置に保持されている。このとき移動体６の被ロック部１３ｃがベース体９の前面部２０に形成された挿入孔２０ａに前方側から挿入されている。
【００７９】
ロックレバー２６は、移動ベース２１がロック可能位置に保持された状態において、付勢バネ１７の付勢力によってロック位置に保持され、係合突部２８が収納位置にある移動体６のフラッシュケース１０に設けられた被ロック部１３ｃに係合し、移動体６が収納位置にロックされている。
【００８０】
移動体６が収納位置にロックされ移動ベース２１がロック可能位置に保持されている状態においては、カム摺動部２５の摺動突部２５ｃがフラッシュケース１０のカム部１５から離隔して位置されている。
【００８１】
次に、移動体６が収納位置から飛出位置に移動される動作について説明する（図９乃至図１６参照）。
【００８２】
移動体６が収納位置にロックされている状態において、所定の操作部５が操作されると、プランジャー３０に通電が行われる。プランジャー３０に対する通電は短時間、例えば、０．１秒程度行われる。
【００８３】
プランジャー３０に通電が行われると、永久磁石による駆動部３２の吸着状態が解除され、移動ベース２１がバネ部材２９の付勢力によってロック可能位置からロック解除位置まで回動される（図９及び図１０参照）。従って、プランジャー３０は駆動部３２が本体３１から大きく突出した状態とされる。このときロックレバー２６はロック位置に保持された状態で、移動ベース２１の回動動作に伴って移動される。
【００８４】
移動ベース２１がロック解除位置に回動されたときには、カム摺動部２５の摺動突部２５ｃが移動体６に設けられたカム部１５における第１のカム面１５ａの前端部に係合される。
【００８５】
移動ベース２１がロック解除位置へ向けて回動されることにより、ロックレバー２６の係合突部２８と移動体６の被ロック部１３ｃとの係合状態が解除され、移動体６のロックレバー２６によるロックが解除される。
【００８６】
移動体６のロックレバー２６によるロックが解除されると、移動体６は付勢バネ１７の付勢力によって収納位置から飛出位置へ向けて回動されていく（図１１及び図１２参照）。
【００８７】
移動体６が飛出位置へ向けて回動されると、カム摺動部２５の摺動突部２５ｃがカム部１５の第１のカム面１５ａを第２のカム面１５ｂへ向けて摺動されていき、移動ベース２１がバネ部材２９の付勢力に抗してロック解除位置からロック可能位置へ向けてロックレバー２６と一体となって回動されていく。
【００８８】
さらに移動体６が飛出位置へ向けて回動されると、カム摺動部２５の摺動突部２５ｃがカム部１５の第１のカム面１５ａをさらに第２のカム面１５ｂへ向けて摺動され、摺動突部２５ｃが第１のカム面１５ａと第２のカム面１５ｂの連続部分に係合される（図１３及び図１４参照）。
【００８９】
移動ベース２１はロック可能位置まで回動される。移動ベース２１がロック可能位置まで回動されたときには、プランジャー３０の駆動部３２が本体３１に引き込まれており、永久磁石によって駆動部３２が吸着され、移動ベース２１がロック可能位置に保持される。
【００９０】
上記のように、摺動突部２５ｃが第１のカム面１５ａと第２のカム面１５ｂの連続部分に係合された状態においては、カム摺動部２５の弾性変形部２５ｂが連結突部２４に近付く方向へ弾性変形される。
【００９１】
このように、移動機構８にあっては、移動ベース２１がロック解除位置からロック可能位置へ向けて回動されたときに弾性変形部２５ｂが連結突部２４に近付く方向へ弾性変形され、移動ベース２１にロック解除位置からロック可能位置へ回動する方向への付勢力が付与される。従って、移動ベース２１を確実にロック可能位置まで回動させることができると共に連結突部２４の連結軸２４ａに連結されたプランジャー３０の駆動部３２を確実に永久磁石に吸着させることができる。
【００９２】
移動体６がさらに回動されると、移動体６は飛出位置まで移動される。移動体６が飛出位置まで回動されるときには、カム摺動部２５の摺動突部２５ｃがカム部１５の第１のカム面１５ａを経て第２のカム面１５ｂに摺動され、続いて、第２のカム面１５ｂから離隔される（図１５及び図１６参照）。このとき移動ベース２１がロック可能位置まで回動され、プランジャー３０において駆動部３２が永久磁石に吸着されているため、移動ベース２１はこれ以上回動されずロック可能位置に保持されたままの状態とされ、ロックレバー１６はバネ部材２９の付勢力によってロック位置に保持されている。
【００９３】
カム摺動部２５は摺動突部２５ｃが第２のカム面１５ｂから離隔されるため、弾性復帰して元の位置に戻る。従って、移動ベース２１がロック可能位置まで回動されたときに、カム摺動部２５の弾性変形部２５ｂは弾性復帰されカム部１５から離隔して位置される。
【００９４】
次に、移動体６が飛出位置から収納位置に移動される動作について説明する（図１７乃至図２０参照）。
【００９５】
移動体６が手動により下方へ押圧されると、移動体６は飛出位置から収納位置へ向けて付勢バネ１７の付勢力に抗して回動されていく（図１７参照）。移動体６が飛出位置にあるときには、上記したように、移動ベース２１がロック可能位置に保持され、ロックレバー２６がロック位置に保持されている。
【００９６】
移動体６が収納位置へ向けて回動されると、被ロック部１３ｃがベース体９の前面部２０に形成された挿入孔２０ａに挿入され、ロックレバー２６の係合突部２８に形成された傾斜面２８ａに上方から接触される。
【００９７】
被ロック部１３ｃは移動体６の収納位置へ向けての回動動作に伴い傾斜面２８ａに摺動され、ロックレバー２６がバネ部材２９の付勢力に抗してロック位置から非ロック位置へ向けて回動される（図１８参照）。
【００９８】
移動体６が収納位置へ向けてさらに回動されていくと、被ロック部１３ｃが係合突部２８の傾斜面２８ａの前側に位置される（図１９参照）。従って、さらに移動体６が収納位置へ向けて回動されることにより、ロックレバー２６がバネ部材２９の付勢力によって非ロック位置からロック位置へ向けて回動され、係合突部２８が被ロック部１３ｃに上側から係合されて移動体６が収納位置にロックされる（図２０参照）。
【００９９】
尚、上記したように、ロック可能位置においては、カム摺動部２５がカム部１５から離隔して位置されているため、移動体６が飛出位置から収納位置へ向けて回動されるときにカム部１５が移動ベース２１に接触することはない。
【０１００】
従って、移動体６の飛出位置から収納位置へ向けての回動動作において、移動体６に移動ベース２１から不必要な負荷が付与されることがなく、移動体６の飛出位置から収納位置へ向けての回動動作を円滑に行うことができる。
【０１０１】
［まとめ］
以上に記載した通り、撮像装置１にあっては、移動体６の移動方向（第１の移動方向）とロックレバー２６を支持する移動ベース２１の移動方向（第２の移動方向）とが略直交する方向とされているため、移動体６の収納位置における外筐４に対する位置精度が移動ベース２１を回動させるプランジャー３０の寸法精度に依存しない。
【０１０２】
従って、移動体６の第１の移動方向における移動ストロークに収納位置側のオーバーストロークを設定することが可能になり、収納位置において移動体６と収納凹部２ａの開口縁との間に隙間が生じず、移動体６の外筐４に対するガタツキの発生を防止することができる。
【０１０３】
また、収納位置における移動体６と収納凹部２ａの開口縁との間の隙間を小さくするために、プランジャー３０等の部品の高い寸法精度が必要なく、その分、製造コストの低減を図ることができる。
【０１０４】
さらに、収納位置において移動体６と収納凹部２ａの開口縁との間に隙間が生じないため、収納凹部２ａへの塵埃の侵入を低減することができる。
【０１０５】
さらにまた、撮像装置１にあっては、移動ベース２１の第２の移動方向を回動方向としているため、移動ベース２１の移動範囲として必要なスペースを小さくすることができ、撮像装置１の小型化を図ることができる。
【０１０６】
加えて、撮像装置１にあっては、移動体６にカム部１５を設け、移動体６の収納位置から飛出位置への回動時にカム摺動部２５がカム部１５に摺動されて移動ベース２１がロック解除位置からロック可能位置まで回動されるようにしている。
【０１０７】
従って、移動体６が飛出位置に移動された状態において移動ベース２１をロック解除位置からロック可能位置まで回動させる動作を行う必要がなく、移動体６の飛出位置から収納位置への回動動作を迅速に行うことができる。
【０１０８】
また、移動体６の飛出位置から収納位置への回動動作を行う専用の機構を必要としないため、部品点数の削減及び機構の簡素化を図ることができる。
【０１０９】
尚、上記には、移動体６及び移動ベース２１が何れも回動される例を示したが、移動体６及び移動ベース２１の移動方向は直線的な方向であってもよく、例えば、移動体６が上下方向へ移動され、移動ベース２１が前後方向又は左右方向に移動されるように構成してもよい。
【０１１０】
また、上記には、移動体６にフラッシュを有する発光ユニット１１が設けられた例を示したが、移動体は発光ユニットを有するものに限られることはなく、移動体は、例えば、撮影レンズ、表示部、操作部、コネクター等の接続端子部、記録ディスクやメモリーカード等の記録媒体等を有するもの等であってもよい。
【０１１１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１１２】
【図１】図２乃至図２０と共に本発明の実施の形態を示すものであり、本図は、撮像装置を示す概略斜視図である。
【図２】移動体が飛出位置にある状態を示す撮像装置の概略斜視図である。
【図３】移動機構の分解斜視図である。
【図４】移動機構の拡大斜視図である。
【図５】移動機構の拡大底面図である。
【図６】移動機構の拡大断面図である。
【図７】図８乃至図２０と共に移動機構の動作を示すものであり、本図は、移動体が収納位置にある状態を示す拡大底面図である。
【図８】移動体が収納位置にある状態を示す拡大斜視図である。
【図９】移動体に対するロックレバーのロックが解除された状態を示す拡大底面図である。
【図１０】移動体に対するロックレバーのロックが解除された状態を示す拡大斜視図である。
【図１１】移動体が収納位置から飛出位置へ向けて回動され、カム摺動部がカム部の第１のカム面に接した状態を示す拡大底面図である。
【図１２】移動体が収納位置から飛出位置へ向けて回動され、カム摺動部がカム部の第１のカム面に接した状態を示す拡大斜視図である。
【図１３】図１１に引き続き移動体が飛出位置へ向けて回動され、カム摺動部がカム部の第１のカム面と第２のカム面の連続部分に接した状態を示す拡大底面図である。
【図１４】図１２に引き続き移動体が飛出位置へ向けて回動され、カム摺動部がカム部の第１のカム面と第２のカム面の連続部分に接した状態を示す拡大斜視図である。
【図１５】移動体が飛出位置まで回動された状態を示す拡大底面図である。
【図１６】移動体が飛出位置まで回動された状態を示す拡大斜視図である。
【図１７】移動体が飛出位置に保持されている状態を一部を断面にして示す概略拡大側面図である。
【図１８】移動体が飛出位置から収納位置へ向けて回動され、被ロック部がロックレバーの係合突部に形成された傾斜面に接した状態を一部を断面にして示す概略拡大側面図である。
【図１９】図１８に引き続き移動体が飛出位置から収納位置へ向けて回動され、被ロック部がロックレバーの係合突部の先端に接した状態を一部を断面にして示す概略拡大側面図である。
【図２０】移動体が収納位置にロックされた状態を一部を断面にして示す概略拡大側面図である。
【符号の説明】
【０１１３】
１…撮像装置、２ａ…収納凹部、４…外筐、６…移動体、８…移動機構、１３ｃ…被ロック部、１５…カム部、１７…付勢バネ、２１…移動ベース、２５…カム摺動部、２５ｂ…弾性変形部、２６…ロックレバー、２９…バネ部材、３０…プランジャー（駆動体）
【図１】
2011013641.tif 000003
【図２】
2011013641.tif 000004
【図３】
2011013641.tif 000005
【図４】
2011013641.tif 000006
【図５】
2011013641.tif 000007
【図６】
2011013641.tif 000008
【図７】
2011013641.tif 000009
【図８】
2011013641.tif 000010
【図９】
2011013641.tif 000011
【図１０】
2011013641.tif 000012
【図１１】
2011013641.tif 000013
【図１２】
2011013641.tif 000014
【図１３】
2011013641.tif 000015
【図１４】
2011013641.tif 000016
【図１５】
2011013641.tif 000017
【図１６】
2011013641.tif 000018
【図１７】
2011013641.tif 000019
【図１８】
2011013641.tif 000020
【図１９】
2011013641.tif 000021
【図２０】
2011013641.tif 000022